(57)【特許請求の範囲】
【請求項１】
予めごみ処理場のピットを複数のエリアに区分し、さらに、各エリアをマトリックス状に区切って番地を付与するとともに、ごみクレーンのバケットの複数の動作パターン毎に撹拌係数を定めておき、複数のエリアの各番地毎に、ごみクレーンのバケットの動作パターンに応じて撹拌係数を順次加算、減算して積算し、該積算された複数のエリアの各番地毎の撹拌係数に基づいて、ごみクレーンのバケットの動作パターンの選定及び焼却炉に接続されたホッパへの投入を行うようにするごみ処理場のピット内のごみの処理方法であって、前記ごみクレーンのバケットの動作パターンが、ごみを任意の番地で掴んで、別の番地に移動してバケットを開く積替動作と、ごみを任意の番地で掴んで、別の番地まで移動しながらバケットを少しずつ開く撹拌動作と、ごみを任意の番地で掴んで、同一番地で上昇しながらバケットを開くほぐし動作とからなることを特徴とするごみ処理場のピット内のごみの処理方法。
【請求項２】
前記ごみ処理場のピットを、投入エリア、貯蔵エリア及び撹拌エリアに区分することを特徴とする請求項１に記載のごみ処理場のピット内のごみの処理方法。
【請求項３】
ごみクレーンのバケットで掴んだごみの重量と体積を測定して、その比重を計算することにより、当該ごみの撹拌レベルを判定し、該判定を加味して、ごみクレーンのバケットの動作パターンの選定及び焼却炉に接続されたホッパへの投入を行うようにすることを特徴とする請求項１又は２に記載のごみ処理場のピット内のごみの処理方法。
【発明の詳細な説明】
【技術分野】
【０００１】
本発明は、ごみ処理場のピット内のごみの処理方法に関し、特に、ごみの撹拌レベルを数値化して評価し、ごみクレーンのバケットの動作パターンの選定及び焼却炉に接続されたホッパへの投入に活用するごみ処理場のピット内のごみの処理方法に関するものである。
【背景技術】
【０００２】
従来、ごみ処理場では、ごみクレーンのバケットを使って、ごみを移動したり、ごみを高い位置まで掴み上げて落下させてごみの撹拌を行うようにしている。
【０００３】
ところで、ごみの撹拌については、ごみを効率よく燃焼させるためにピット内でごみを撹拌し、ごみに含まれる水分量を調整した上で焼却炉に接続されたホッパへ投入するようにしているが、ごみの撹拌程度を示す指標となるものがないため、オペレータの経験に依存しているのが現状であった。
【０００４】
なお、ごみの撹拌については、ガウス分布に基づいて計算することが提案されている（特許文献１参照。）が、ごみの山が崩れ落ちることを想定していないため、撹拌したごみがガウス分布より低くなって実運用からかけ離れたものとなるため、実用化がされていない。
【０００５】
また、ピット内のごみの色や温度を測定し、これに基づいてピット内のごみを均一に撹拌することも提案されている（特許文献２及び３参照。）が、これらは、いずれも、ごみの表面の情報に基づくものであるため、正確性に欠けるという問題があった。
【先行技術文献】
【特許文献】
【０００６】
【特許文献１】特開２０１０−２７５０６４号公報
【特許文献２】特開平１−４９８１５号公報
【特許文献３】特開平８−３０３７３２号公報
【発明の概要】
【発明が解決しようとする課題】
【０００７】
本発明は、上記従来のごみ処理場のピット内のごみの撹拌に関する問題点に鑑み、ごみの撹拌レベルを数値化して評価し、ごみクレーンのバケットの動作パターンの選定及び焼却炉に接続されたホッパへの投入に活用することができるようにしたごみ処理場のピット内のごみの処理方法を提供することを目的とする。
【課題を解決するための手段】
【０００８】
上記目的を達成するため、本発明のごみ処理場のピット内のごみの処理方法は、予めごみ処理場のピットを複数のエリアに区分し、さらに、各エリアをマトリックス状に区切って番地を付与するとともに、ごみクレーンのバケットの複数の動作パターン毎に撹拌係数を定めておき、複数のエリアの各番地毎に、ごみクレーンのバケットの動作パターンに応じて撹拌係数を順次加算、減算して積算し、該積算された複数のエリアの各番地毎の撹拌係数に基づいて、ごみクレーンのバケットの動作パターンの選定及び焼却炉に接続されたホッパへの投入を行うようにするごみ処理場のピット内のごみの処理方法であって、前記ごみクレーンのバケットの動作パターンが、ごみを任意の番地で掴んで、別の番地に移動してバケットを開く積替動作と、ごみを任意の番地で掴んで、別の番地まで移動しながらバケットを少しずつ開く撹拌動作と、ごみを任意の番地で掴んで、同一番地で上昇しながらバケットを開くほぐし動作とからなることを特徴とする。
【０００９】
この場合において、前記ごみ処理場のピットを、投入エリア、貯蔵エリア及び撹拌エリアに区分することができる。
【００１１】
また、ごみクレーンのバケットで掴んだごみの重量と体積を測定して、その比重を計算することにより、当該ごみの撹拌レベルを判定し、該判定を加味して、ごみクレーンのバケットの動作パターンの選定及び焼却炉に接続されたホッパへの投入を行うようにすることができる。
【発明の効果】
【００１２】
本発明のごみ処理場のピット内のごみの処理方法によれば、予めごみ処理場のピットを複数のエリア（例えば、投入エリア、貯蔵エリア及び撹拌エリア）に区分し、さらに、各エリアをマトリックス状に区切って番地を付与するとともに、ごみクレーンのバケットの複数の動作パターン（例えば、ごみを任意の番地で掴んで、別の番地に移動してバケットを開く積替動作と、ごみを任意の番地で掴んで、別の番地まで移動しながらバケットを少しずつ開く撹拌動作と、ごみを任意の番地で掴んで、同一番地で上昇しながらバケットを開くほぐし動作との３つの動作パターン）毎に、撹拌係数を定めておき、複数のエリアの各番地毎に、ごみクレーンのバケットの動作パターンに応じて撹拌係数を順次加算、減算して積算し、該積算された複数のエリアの各番地毎の撹拌係数に基づいて、ごみクレーンのバケットの動作パターンの選定及び焼却炉に接続されたホッパへの投入を行うようにすることにより、ごみの撹拌レベルを数値化して評価し、ごみクレーンのバケットの動作パターンの選定及び焼却炉に接続されたホッパへの投入に活用することができ、オペレータの経験に依存することを排除することで、ごみ処理場のピット内のごみの処理方法を、一般化、均一化することができる。
【００１３】
また、ごみクレーンのバケットで掴んだごみの重量と体積を測定して、その比重を計算することにより、当該ごみの撹拌レベルを判定し、該判定を加味して、ごみクレーンのバケットの動作パターンの選定及び焼却炉に接続されたホッパへの投入を行うようにすることにより、ごみに含まれる水分量の調整を、正確に行うことができる。
【図面の簡単な説明】
【００１４】
【図１】本発明のごみ処理場のピット内のごみの処理方法を実施するごみ処理場の基本運用図である。
【図２】本発明のごみ処理場のピット内のごみの処理方法におけるごみクレーンのバケットの動作パターンを定義する説明図である。
【図３】動作パターン（１）の撹拌係数の算出を定義する説明図である。
【図４】動作パターン（２）の撹拌係数の算出を定義する説明図である。
【図５】動作パターン（３）の撹拌係数の算出を定義する説明図である。
【発明を実施するための形態】
【００１５】
以下、本発明のごみ処理場のピット内のごみの処理方法の実施の形態を、図面に基づいて説明する。
なお、本明細書における括弧付き数字は、図面の図中で用いている丸付き数字と対応している。
【００１６】
本発明のごみ処理場のピット内のごみの処理方法は、予めごみ処理場のピットを複数のエリアに区分し、さらに、各エリアをマトリックス状に区切って番地を付与するとともに、ごみクレーンのバケットの複数の動作パターン毎に撹拌係数を定めておき、複数のエリアの各番地毎に、ごみクレーンのバケットの動作パターンに応じて撹拌係数を順次加算、減算して積算し、該積算された複数のエリアの各番地毎の撹拌係数に基づいて、ごみクレーンのバケットの動作パターンの選定及び焼却炉に接続されたホッパへの投入を行うようにする。
【００１７】
図１に示す、本発明のごみ処理場のピット内のごみの処理方法を実施するごみ処理場の基本運用図のとおり、ごみ処理場のピットを複数のエリア（例えば、投入エリア、貯蔵エリア及び撹拌エリア）に区分し、さらに、各エリアをマトリックス状に区切って番地を付与するようにする。
ごみ処理場のピットの区分は、隔壁等の物理的な区分でも、情報上の仮想的な区分でもよく、各エリアのマトリックス状の区切りは、情報上の仮想的な区切りとする。
【００１８】
ごみ処理場に到着したごみ収集車は、ごみ処理場の搬入ゲートからごみをピット内の投入エリアに投入する。
次に、投入エリアが満杯になることを避けるために、投入エリアのごみを貯蔵エリアに積替する。
積替することによりごみの撹拌効果も生まれるが、貯蔵エリア内でも後で説明する動作パターンでごみを撹拌する。貯蔵エリアのごみは撹拌される場合と撹拌されない場合があるので、より良く撹拌されたごみを燃焼炉に接続されたホッパに投入する際には、撹拌エリアでごみを撹拌するようにしている。
【００１９】
次に、図２に示す、本発明のごみ処理場のピット内のごみの処理方法におけるごみクレーンのバケットの動作パターンを定義する説明図のとおり、ごみクレーンのバケットの動作パターンは、３つのパターンからなる。
【００２０】
・動作パターン（１）
ごみを任意の番地で掴んで、別の番地に移動してバケットを開く動きをする積替動作。
・動作パターン（２）
ごみを任意の番地で掴んで、別の番地まで移動しながらバケットを少しずつ開く動きをする撹拌動作。
・動作パターン（３）
ごみを任意の番地で掴んで、同一番地で上昇しながらバケットを開く動きをするほぐし動作。
この動作パターン毎に撹拌係数を定めておき、ごみの撹拌レベルを定量化する。その撹拌レベルを計算する方法を、図３、図４及び図５に基づいて説明する。
【００２１】
まず、新規ごみ処理場の場合、すべての番地の撹拌係数を「０」にセットしてから本運用を開始する。
【００２２】
また、既に運用を開始しているごみ処理場の場合、図１に示すような投入エリア、貯蔵エリア及び撹拌エリアに対して、例えば、投入エリアのすべての番地の撹拌係数を「０」にセットし、貯蔵エリアのすべての番地の撹拌係数を「５」にセットし、撹拌エリアのすべての番地の撹拌係数を「１０」にセットする。
このように、撹拌係数を設定することにより、本システムの運用に近い状態で開始することができる。
ここで、上記撹拌係数のセットする値は、ごみ処理場毎に異なる場合がある。
【００２３】
動作パターン（１）の撹拌係数の算出方法について、図３に基づいて説明する。
動作パターン（１）は、ごみを掴んだ番地の撹拌係数をＫ１値で減算する。その番地の撹拌係数を減算して、撹拌係数がマイナス値になった場合は「０」にセットする。
次に、移動してごみを積替えた番地の撹拌係数をＫ２値で加算する。
さらに、移動してごみを積替えた番地の１番地周囲の撹拌係数をそれぞれＫ３値で加算する。これは、ごみが積替えた番地の周囲に散らばることがわかっているので、よりごみの撹拌レベルの精度を上げるためである。
ここで、Ｋ１、Ｋ２・・・の値は、任意の係数（値）として設定することができる（以下、同じ。）。
【００２４】
動作パターン（２）の撹拌係数の算出方法について、図４に基づいて説明する。
動作パターン（２）は、ごみを掴んだ番地の撹拌係数をＫ１値で減算する。その番地の撹拌係数を減算して、撹拌係数がマイナス値になった場合は「０」にセットする。
次に、移動してごみを積替えた番地の撹拌係数をＫ４値で加算する。
さらに、ごみを掴んだ番地と移動してごみを積替えた番地を結んだ直線状にかかる番地の撹拌係数をそれぞれＫ５値で加算する。これは、ごみを掴んだ番地から移動してごみを積替える番地まで移動しながらバケットを少しずつ開くことによって、ごみがその移動する番地の周囲に散らばることがわかっているので、よりごみの撹拌レベルの精度を上げるためである。
【００２５】
動作パターン（３）の撹拌係数の算出方法について、図５に基づいて説明する。
動作パターン（３）は、ごみを掴んだ番地の撹拌係数をＫ１値で減算する。その番地の撹拌係数を減算して、撹拌係数がマイナス値になった場合は「０」にセットする。
次に、同一番地で上昇しながらバケットを少しずつ開きながら上昇するので、同一番地の撹拌係数をＫ２値で加算する。
さらに、同一番地の１番地周囲の撹拌係数をそれぞれＫ３値で加算する。これは、ごみが積替えた番地の周囲に散らばることがわかっているので、よりごみの撹拌レベルの精度を上げるためである。
【００２６】
本実施例に係るごみ処理場の基本的な運用について、図１に基づいて説明したが、投入エリア、貯蔵エリア及び撹拌エリアは、ごみクレーンの動作パターン（１）〜（３）を適宜組み合わせて、自動運転モード及び手動運転モードで運用される。
ごみクレーンの運転は、クレーンの停止番地と同一であり、また、ごみの撹拌レベルを操作パターン毎に加算、減算する番地でもあるため、自動運転モードだけでなく、手動運転モードでも同様な運用をすることが可能である。
停止番地に従って行うため、自動運転モード、手動運転モードに関係なく実施することができる。
また、その運用は、同一エリア内で実施するほか、各エリアを跨って実施することができる。
【００２７】
これにより、複数のエリアの各番地毎に、ごみクレーンのバケットの動作パターンに応じて撹拌係数を順次加算、減算して積算するようにし、積算された複数のエリアの各番地毎の撹拌係数に基づいて、ごみクレーンのバケットの動作パターンの選定及び焼却炉に接続されたホッパへの投入を行うようにする。具体的には、撹拌レベルの低い番地のごみの撹拌を積極的に行うとともに、撹拌レベルの高い番地のごみから焼却炉に接続されたホッパへの投入を行うようにすることができる。
これにより、ごみの撹拌レベルを数値化して評価し、ごみクレーンのバケットの動作パターンの選定及び焼却炉に接続されたホッパへの投入に活用することができ、オペレータの経験に依存することを排除することで、ごみ処理場のピット内のごみの処理方法を、一般化、均一化することができる。
【００２８】
なお、ごみの焼却炉に接続されたホッパへの投入は、ホッパ側からの投入要求信号がＯＮ状態の時は、連続して投入し続ける。
また、投入要求信号がＯＦＦ状態の時は、投入しない。
【００２９】
また、撹拌エリア内では、撹拌レベルの高い番地のごみからホッパに投入するが、同一撹拌レベルの場合はごみクレーンの番地の小さい番地のごみからホッパに投入する。
【００３０】
また、撹拌エリア内より貯蔵エリア若しくは投入エリアに撹拌レベルの高い番地がある場合は、該当エリアのごみからホッパに投入する。
【００３１】
また、ごみの撹拌レベルは経験等から決めた撹拌係数Ｋ１〜Ｋ５によって計算されているが、ごみ処理場毎に数値を変えることによりごみの撹拌レベルを向上させることができる。
【００３２】
さらに、ごみクレーンのバケットで掴んだごみの重量と体積を測定して、その比重を計算することにより、当該ごみの撹拌レベルを判定し、該判定を加味して、ごみクレーンのバケットの動作パターンの選定及び焼却炉に接続されたホッパへの投入を行うようにすることができる。
これにより、ごみに含まれる水分量の調整を、正確に行うことができる。
ここで、ごみの重量は、バケットの総重量を測定する重量測定機構により、ごみの体積は、バケットに設けた光学センサ等からなるごみレベル検出機構により、それぞれ測定することができる。
そして、最終的には、バケットが掴んだごみの比重が一定以下の場合、ごみをホッパに投入する。
すなわち、比重が一定以下ということは、ごみに含まれる水分量が少なく、良く撹拌されている目安になり燃焼効率を良くすることができる。
一方、比重が一定以上ということは、ごみに含まれる水分量が多く、あまり撹拌されていないという目安になり燃焼効率を落とすことになるので可能な限りホッパへの投入は避ける。
なお、比重が一定以下のごみがない場合は、比重が一定以上でもホッパに投入する。
また、比重が一定以上のごみを掴んだ場合は、次に撹拌レベルの高い番地のごみをホッパに投入するようにする。
【００３３】
以上、本発明のごみ処理場のピット内のごみの処理方法について、その実施例に基づいて説明したが、本発明は上記実施例に記載した構成に限定されるものではなく、その趣旨を逸脱しない範囲において適宜その構成を変更することができるものである。
【産業上の利用可能性】
【００３４】
本発明のごみ処理場のピット内のごみの処理方法は、ごみの撹拌レベルを数値化して評価し、ごみクレーンのバケットの動作パターンの選定及び焼却炉に接続されたホッパへの投入に活用することができることから、ごみ処理場のピット内のごみを撹拌処理する用途に好適に用いることができる。
【図１】
0006606434.tif 000002
【図２】
0006606434.tif 000003
【図３】
0006606434.tif 000004
【図４】
0006606434.tif 000005
【図５】
0006606434.tif 000006